(57)【要約】【課題】ワンタッチで開閉できる鞄用差込錠、を提供する。【解決手段】本発明の鞄用差込錠は、鞄本体に取り付けた受け部と鞄蓋部に取り付けた差込部よりなる鞄用差込錠において、該差込部は、差込部本体，差込金具，及び底板から構成され、該差込部本体に釦の軸が回動自在に軸支され、該釦と差込部本体との間には、ばねが組み込まれ、ばねの反発力を受けた釦は、軸を中心に回動して、該釦の差込金具側が差込金具の先端の釦側を押上げて、差込部本体の天面に当接して回動を停止した状態が、鞄用差込錠の閉じた状態であり、一方、該差込部本体に組み込まれた差込金具の摘み部を鞄蓋部の反対側に回動させて、受け部に設けられたのぞき窓側端面と釦に設けられた端面との当接を解いた状態が、鞄用差込錠が開いた状態となる、ことを特徴とする。【選択図】図１
2009268656.tif 000002
【特許請求の範囲】
【請求項１】
鞄本体に取り付けた受け部と鞄蓋部に取り付けた差込部よりなる鞄用差込錠において、
該差込部は、差込部本体，差込金具，及底板から構成され、該差込部本体に釦の軸が回動自在に軸支され、該釦と差込部本体との間には、ばねが組み込まれ、ばねの反発力を受けた釦は、軸を中心に回動して、該釦の差込金具側が差込金具の先端の釦側を押上げて、差込部本体の天面に当接して回動を停止した状態が、鞄用差込錠の閉じた状態であり、
一方、該差込部本体に組み込まれた差込金具の摘み部を鞄蓋部の反対側に回動させて、受け部に設けられたのぞき窓側端面と釦に設けられた端面との当接を解いた状態が、鞄用差込錠が開いた状態となる、
ことを特徴とする鞄用差込錠。
【請求項２】
前記請求項１に記載の鞄用差込錠において、
前記差込金具の上部に摘み部を設け、該摘み部に摘み用突条が形成されている、
ことを特徴とする鞄用差込錠。
【発明の詳細な説明】
【技術分野】
【０００１】
本発明は、鞄の蓋部を鞄の本体に係止するために使用される鞄用差込錠に関する。特に、郵便配達用の鞄に使用されるときに、ワンタッチで簡単に鞄の蓋の開閉ができる鞄用差込錠に関する。
【背景技術】
【０００２】
従来、永久磁石の磁力を利用して、鞄の蓋部を本体に係止する所謂マグネットホックは、その着脱の容易さから鞄用差込錠として広く用いられている。
【０００３】
特許文献１の記載には、「鞄の蓋部側の係止金具の連結穴のいずれかの挿通穴を鞄の本体側の係止座金に嵌め込む動作により、係止座金の頭部の丸み又はテーパ形状が可動摘みの内側辺の傾斜辺に沿って挿通され、このとき可動摘みはバネの弾性力に抗して内方へ押し込まれ、可動摘みの内側辺が係止座金の頭部を係止したロック状態にする。このような係止動作は、鞄の蓋部側の係止金具を本体側の係止座金に嵌め込むワンタッチの動作によって行うことができる。」（特許文献１の明細書段落〔００１５〕参照）鞄用差込錠が開示されている。
【０００４】
また、特許文献２の記載には、「このような従来の係止金具は、その係止状態を維持する力が永久磁石の磁力にのみ依存しているために、ハンドバッグの蓋部に強い衝撃力が加わった場合には、その係止状態が容易に解除されてしまい蓋部が開いてしまうという問題があった。」（特許文献２の明細書段落〔０００３〕参照）ことが開示されている。
【０００５】
しかしながら、特許文献１及び特許文献２の記載の発明では、鞄の蓋部を鞄の本体に容易に着脱することができるとともに、外部から強い力が加わるような状態においても係止状態を維持することができるものではなかった。
【０００６】
【特許文献１】特開２００５−３２３８９６号公報
【特許文献２】特開２００３−１９９６１０号公報
【発明の開示】
【発明が解決しようとする課題】
【０００７】
そこで、本発明は上記に鑑みてなされたもので、その課題は、蓋部を本体に容易に着脱することができるとともに、外部から強い力が加わるような状態においても係止状態を維持することができる鞄用差込錠、を提供することである。
【課題を解決するための手段】
【０００８】
上記目的を達成するために、具体的には、下記のような手段を取った。
【０００９】
請求項１に記載の本発明の鞄用差込錠は、鞄本体に取り付けた受け部と鞄蓋部に取り付けた差込部よりなる鞄用差込錠において、該差込部は、差込部本体，差込金具，及び底板から構成され、該差込部本体に釦の軸が回動自在に軸支され、該釦と差込部本体との間には、ばねが組み込まれ、ばねの反発力を受けた釦は、軸を中心に回動して、該釦の差込金具側が差込金具の先端の釦側を押上げて、差込部本体の天面に当接して回動を停止した状態が、鞄用差込錠の閉じた状態であり、一方、該差込部本体に組み込まれた差込金具の摘み部を鞄蓋部の反対側に回動させて、受け部に設けられたのぞき窓側端面と釦に設けられた端面との当接を解いた状態が、鞄用差込錠が開いた状態となる、ことを特徴とする。
【００１０】
また、請求項２に記載の本発明の鞄用差込錠は、前記差込金具の上部に摘み部を設け、該摘み部に摘み用突条が形成されている、ことを特徴とする。
【発明の効果】
【００１１】
本発明の鞄用差込錠は、鞄蓋部を鞄本体にワンタッチで容易に着脱することができるとともに、外部から強い力が加わるような状態においても係止状態を維持することができるものである。
【発明を実施するための最良の形態】
【００１２】
以下に、本発明の実施をするための最良の形態を図面に基づいて説明する。
【００１３】
図１は、本発明の鞄用差込錠の開閉を閉じた状態の一実施例を説明する断面図である。図２は、本発明の鞄用差込錠の開閉を開いた状態の一実施例を説明する断面図である。図３は、本発明の組立図であり、（ａ）は平面図、（ｂ）は側面図、（ｃ）は正面図である。図４は、本発明の部品図の斜視図であり、（ａ）は受け部の斜視図であり、（ｂ）は差込部本体の斜視図であり、（ｃ）は底板の斜視図である。図５は、差込金具の部品図であり、（ａ）は平面図であり、（ｂ）は側面図、（ｃ）は正面図である。図６は、本発明の鞄用差込錠を郵便鞄に組み付けた斜視図であり、（ａ）は鞄用差込錠の開閉を閉じた状態であり、（ｂ）は鞄用差込錠の開閉を開いた状態である。図７は、座金の平面図であり、（ａ）は差込部用座金の平面図、（ｂ）は受け部用座金の平面図である。
【００１４】
次に、図１、図２により本発明の鞄用差込錠の一実施例を説明する。
【００１５】
図１、２に示すように、本発明は、鞄本体１に取り付けた受け部４と鞄蓋部２に取り付けた差込部３とからなる鞄用差込錠である。
【００１６】
すなわち、鞄本体１に受け部４をリベット７，７でカシメて取り付け、鞄蓋部２に差込部３をリベット（図示せず）でカシメて取り付けている。尚、該差込部３の鞄蓋部２への取り付けの詳細は、差込部本体３ａの受け台３ａ１と差込部用座金３ｄとの間に、鞄蓋部２を挟持してリベット（図示せず）でカシメて取り付けている。また、該受け部４の鞄本体１への取り付けの詳細は、該受け部４と受け部座金４ｄとの間に、鞄本体１を挟持してリベット７，７でカシメて取り付けている。
【００１７】
また、図１は、該差込部３を受け部４に差し込んで鞄用差込錠の開閉の閉じた状態を示している。該差込部３を受け部４に差し込むと、差込部３の釦５が端部開口部４ｂにより押下げられ、さらに、該差込部３が受け部４の奥へ進むと、釦５の上面５ｃがばね６の反発力によりのぞき窓４ｃからのぞき、受け部４に設けられた段部４ａののぞき窓側端面４ａ２と釦５の端面５ａとが対向または当接して、鞄用差込錠は係止状態になる。
【００１８】
図２は、図１に対して、差込部３に設けられた差込金具３ｂを反時計回りに回転（図示のＡ矢印方向）させて、すなわち、鞄本体１の前へ倒して、受け部４に設けられた段部４ａののぞき窓側端面４ａ２と釦５の端面５ａとの係止を解除する。または、釦５の上面５ｃを押下げると、受け部４に設けられた段部４ａののぞき窓側端面４ａ２と釦５の端面５ａとの係止は解除される。この状態から図面の上方（鞄蓋部２側）へ差込部３を引き上げると、該差込部３と受け部４との係止状態が開放されて、本発明の鞄用差込錠が開いた状態となり、すなわち、鞄蓋部２が開いた状態になる。
【００１９】
また、該差込部３は、差込部本体３ａ，差込金具３ｂ、及び底板３ｃから構成され、該差込金具３ｂは、差込部本体３ａに設けられた差込窓３ａ２に差込金具３ｂの釦側３ｂ３を差し込んで、差込部本体３ａに組み込まれ、該釦５の端部には軸５ｄが設けられ、該差込部本体３ａに回動自在に組み込まれている。そして、該釦５と底板３ｃとの間には、ばね６が挟持されて，該底板３ｃは差込部本体３ａにネジ３ｃ１でネジ止めされおり、ばね６の反発力を受けた釦５は、軸５ｄを中心に図１または図２の反時計回りに回転して、差込金具３ｂの先端に設けられた釦側３ｂ３を左方へ押している。そして、該釦側３ｂ３は差込部本体３ａの天面３ａ５に接して回動を停止する。この状態が、図１に示す差込部３を受け部４に差し込んで鞄用差込錠が閉じた状態であり、すなわち、鞄蓋部２が閉じた状態である。
【００２０】
また、図３は、本発明の鞄用差込錠を組み立てた状態の図面である。（ａ）は平面図、（ｂ）は側面図、（ｃ）は正面図である。
【００２１】
また、図４（ａ）は、受け部４の斜視図である。該受け部４は、上面に設けられた段部４ａと左方に端部開口部４ｂと、右方の上面にのぞき窓４ｃを設けている。また、該段部４ａの端部開口部４ｂ側の端面を開口側端面４ａ１とし、のぞき窓４ｃ側の端面をのぞき窓側端面4ａ２としている。さらに、リベット穴４ｅを２個（図４（ａ）では１個のみ図示する）設けている。図１に示すように、該リベット穴４ｅ，４ｅにリベット７，７を挿入して受け部４と受け部用座金４ｄとの間に鞄本体１を挟持してカシメて取り付けている。
【００２２】
また、図４（ｂ）は、差込部本体３ａの斜視図である。該差込部本体３ａは、左方に突出した「ハ」字型の受け台３ａ１と、差込金具３ｂを差し込む差込窓３ａ２と、上面に設けられた頂面３ａ３と、右方の上面に釦用のぞき窓３ａ６とを設けている。そして、該頂面３ａ３の釦用のぞき窓３ａ６側の端面を端面３ａ４とし、該頂面３ａ３の下面の釦用のぞき窓３ａ６側の面を天面３ａ５としている。さらに、該受け台３ａ１にリベット穴３ａ１１を２個設けている。図１に示すように、該リベット穴３ａ１１，３ａ１１にリベット（図示せず）を挿入して差込部３と差込部用座金３ｄとの間に鞄蓋部２を挟持してカシメて取り付けている。
【００２３】
また、図４（ｃ）は、底板３ｃの斜視図である。該底板３ｃの形状は、平板状の板で端部に壁３ｃ３を立設している。また、該底板３ｃの端部にはネジ穴３ｃ２、及び壁３ｃ３側に２個のネジ穴３ｃ２が設けられ、該底板３ｃと前記差込部本体３ａとを組み立てる際に、図１に示すように、３個のネジ穴３ｃ２を使用してネジ３ｃ１（図１では１個のみ図示する）で組み立てている。尚、受け部４、差込部本体３ａ、及び底板３ｃは、亜鉛ダイキャスト、アルミニウムダイキャスト、などで製作されている。
【００２４】
また、図５は、差込金具３ｂの部品図であり、（ａ）は平面図であり、（ｂ）は側面図、（ｃ）は正面図である。該差込金具３ｂの上部には、摘み部３ｂ１があり、該摘み部３ｂ１には、摘み用突条３ｂ２が数個形成されている。すなわち、該摘み用突条３ｂ２には、数条の突条が形成されている。この突条は、凸状態の突起状のものであるが、凹状態のものであっても良い。該摘み用突条３ｂ２は、本発明の鞄用差込錠を開閉するときに、差込金具３ｂの摘み部３ｂ１を摘みやすくするための突条である。また、差込金具３ｂの下方は、釦側３ｂ３としている。尚、差込金具３ｂは、鋼板、合成樹脂、アルミニウム板などで製作されている。
【００２５】
そして、図１〜図５により鞄用差込錠の作用について説明する。図示するように、受け部４の端部開口部４ｂに差込部本体３ａが差し込まれると、該差込部本体３ａの端面３ａ４が受け部４の開口側端面４ａ１と当接し、該受け部４の上面に設けられたのぞき窓４ｃから差込部本体３ａに組み込まれた釦５の上面５ｃがのぞいている。該釦５の端面５ａは、受け部４ののぞき窓側端面4ａ２と隙間Ｃを隔てて対向している。該隙間Ｃは、受け部４に差込部３を組み込んだときの余裕であり、鞄用差込錠の開閉をスムーズにするものである。該隙間Ｃは、差込部３を上方（鞄蓋部２側）へ引き上げると、無くなり（数値的に０となる。）、釦５の端面５ａと受け部４ののぞき窓側端面4ａ２とが当接することで本発明の鞄用差込錠の閉じた状態を保持する。
【００２６】
そして、前記鞄用差込錠を開くときには、図２に示すように、差込金具３ｂの摘み部３ｂ１を摘んで、Ａ矢印方向に回動すると、差込金具３ｂの先端の釦側３ｂ３が釦５の差込金具側５ｂの上面に押して、受け部４ののぞき窓側端面4ａ２と釦５の端面５ａとの係止が解除されて、該差込部３は上方（鞄蓋部２）側へ移動することができるので、鞄用差込錠は開いた状態となる。すなわち、鞄の鞄蓋部２が開いた状態となる。
【００２７】
また、図６は、本発明の鞄用差込錠を郵便鞄に組み付けて斜視図であり、郵便鞄の鞄本体１に受け部４を組み付け、鞄蓋部２に差込部３を組み付けたものである。すなわち、鞄本体１に受け部４をリベット（図示せず）でカシメて取り付け、鞄蓋部２に差込部３をリベット（図示せず）でカシメて取り付けている。（ａ）は、鞄用差込錠の開閉を閉じた状態であり、（ｂ）は鞄用差込錠の開閉を開いた状態である。
【００２８】
また、図７は、座金の平面図であり、（ａ）は差込部用座金の平面図、（ｂ）は受け部用座金の平面図である。（ａ）に図示するように、差込部用座金３ｄは、薄板状の長形の形状をしており、両端部にリベット穴３ｄ１を設けている。また、（ｂ）に図示するように、受け部用座金４ｄは、薄板状の長形の形状をしており、両端部にリベット穴４ｄ１を設けている。尚、該差込部用座金３ｄ及び受け部用座金４ｄは鋼板、合成樹脂、アルミニウム板などで製作されている。
【産業上の利用可能性】
【００２９】
本発明は、郵便配達者の鞄に使用されるときに、ワンタッチで簡単に鞄の蓋の開閉ができるものである。また、本発明は、女性用のハンドバックなどの鞄にも利用することができる。
【００３０】
すなわち、本発明は、蓋部を有する鞄であって、この蓋部に設けられた係止金具を鞄の本体に設けられた係止座金に係止して蓋を閉じ、その係止状態を堅固に保持し、さらにはその係止状態をワンタッチの開閉動作で解除して蓋を開けることができるものであるため、例えば、配達物を収容した際のように、蓋の開閉を頻繁に行うような鞄の用途に最適である。
【図面の簡単な説明】
【００３１】
【図１】図１は、本発明の鞄用差込錠の開閉を閉じた状態の一実施例を説明する断面図である。
【図２】図２は、本発明の鞄用差込錠の開閉を開いた状態の一実施例を説明する断面図である。
【図３】図３は、本発明の組立図であり、（ａ）は平面図、（ｂ）は側面図、（ｃ）は正面図である。
【図４】図４は、本発明の部品図の斜視図であり、（ａ）は受け部の斜視図であり、（ｂ）は差込部本体の斜視図であり、（ｃ）は底板の斜視図である。
【図５】図５は、差込金具の部品図であり、（ａ）は平面図であり、（ｂ）は側面図、（ｃ）は正面図である。
【図６】図６は、本発明の鞄用差込錠を郵便鞄に組み付けて斜視図であり、（ａ）は鞄用差込錠の開閉を閉じた状態であり、（ｂ）は鞄用差込錠の開閉を開いた状態である。
【図７】図７は、座金の平面図であり、（ａ）は差込部用座金の平面図、（ｂ）は受け部用座金の平面図である。
【符号の説明】
【００３２】
１  鞄本体
２  鞄蓋部
３  差込部
３ａ  差込部本体      ３ａ１  受け台      ３ａ１１  リベット穴
３ａ２  差込窓      ３ａ３頂面
３ａ４  端面      ３ａ５  天面      ３ａ６  釦用のぞき窓
３ｂ  差込金具      ３ｂ１  摘み部      ３ｂ２  摘み用突条
３ｂ３  釦側
３ｃ  底板      ３ｃ１  ネジ      ３ｃ２  ネジ穴      ３ｃ３  壁
３ｄ  差込部用座金      ３ｄ１  リベット穴
４  受け部      ４ａ  段部      ４ａ１  開口側端面      ４ａ２  のぞき窓側端面
４ｂ  端部開口部      ４ｃ  のぞき窓
４ｄ  受け部用座金      ４ｄ１  リベット穴
４ｅ  リベット穴
５  釦      ５ａ  端面      ５ｂ  差込金具側      ５ｃ  上面      ５ｄ  軸
６  ばね
７  リベット
Ａ  矢印
Ｃ  隙間
【図１】
2009268656.tif 000003
【図２】
2009268656.tif 000004
【図３】
2009268656.tif 000005
【図４】
2009268656.tif 000006
【図５】
2009268656.tif 000007
【図６】
2009268656.tif 000008
【図７】
2009268656.tif 000009